(57)【要約】      （修正有）【課題】事故・事件等に遭遇した時に緊急救助要請の為に、携帯電話を取り出そうとしても、恐怖心でポケット及びカバン等から取り出す事も出来ない状況である。取り出すのに時間が掛かる。或いは、取り出す事が出来ても携帯電話を盗られてしまう。【解決手段】鎖スイッチを外部から引けば、ワンタッチで周辺が撮影され、緊急救助要請の「助けて下さい。氏名・住所・保護者氏名・学校名・撮影された写真等」が登録されたＥメールアドレスの警察署・消防署・学校・両親等に送信され、ＧＰＳにより位置確認がおこなえる。【選択図】図１
2006319939.tif 000002
【特許請求の範囲】
【請求項１】
携帯電話の内部に防犯ブザーを設ける。
【請求項２】
携帯電話の内部にキューピクルスイッチを設け、これに連結した鎖（以下鎖スイッチと云う）を外部から接続し、これを引くと蓋を開けない儘ワンタッチで衛星測位利用システム（以下ＧＰＳと云う）が作動し・防犯ブザーが吹鳴・写真撮影及び送信・メール送信（以下緊急救助要請機能と云う）が出来る。この考え方を発明したものである。
【発明の詳細な説明】
【発明の詳細な説明】
【技術分野】
【０００１】  携帯電話の蓋を閉じた儘で鎖スイッチを引くと、ワンタッチで緊急救助要請機能が作動する。
【背景技術】
【０００２】  従来の携帯電話を使用する為には諸操作をしてから個々の通信等が可能で、しかも防犯ブザーが無い。従って、携帯電話と防犯ブザーを併せて持ち歩くのは不便である。【０００３】  従来の携帯電話は、蓋を開け複数のボタン操作をして写真撮影をする。【０００４】  従来の携帯電話は、蓋を開け複数のボタン操作をして通話する。【０００５】  従来の携帯電話は、蓋を開け複数のボタン操作をしてメールを送信する。【０００６】  従来の携帯電話は、蓋を開け複数のボタン操作をして写真を送信する。【０００７】  従来の携帯電話は、蓋を開け複数のボタン操作をしてＧＰＳにより位置確認が出来る。【０００８】  従来の防犯ブザーは、スイッチを引くと現場で鳴るが近くに人がいないと役立たない。
【発明が解決しようとする課題】
【０００９】  事件・事故に遭遇した時、緊急救助要請の為に携帯電話を取り出そうとしても恐怖心でポケット又はカバン等から取り出す事も出来ない状況です。又、取り出すのに時間が掛かる。或いは取り出したとしても盗られてしまう。事件・事故の場所等も分からず起こった事さえ他人には分からない事が多々有ります。又、既存の携帯電話で緊急救助要請が通じた時には、犯人は逃亡した後であり犯人像が不詳の事が多い。防犯ベルを鳴らす事が出来ても近くに救助者がいない事もある。誘拐事件の場合は、特に厄介である。そんな時にＧＰＳにより事件・事故の遭遇場所が確認でき早期救出が可能です。
【課題を解決するための手段】
【００１０】  上記課題を防止又は早期に解決する為に、事件・事故に遭遇した時に本発明の携帯電話の鎖スイッチを引けば、ワンタッチで緊急救助要請機能が作動し、緊急救助要請が出来る。周辺が撮影されると共に、メールで「助けて下さい。氏名・住所・保護者氏名・学校名」及び撮影された写真が登録された警察署・消防署・学校・両親等に送信される。又、ＧＰＳにより位置確認がおこなえ、現場で防犯ブザーが鳴る。事態収集の後に、再度鎖スイッチを引くと防犯ブザーは停止し、携帯電話は通常の使用可能状になる。
【発明を実施するための最良の形態】
【００１１】  小学生の場合は、専用のレンズ穴・鎖スイッチ穴を設けた収納バックに携帯電話を入れてランドセルの左胸バンドに固定し、鎖スイッチを外側に出して登下校に使用する。その他の場合は、胸ポケットにレンズ穴・鎖スイッチ穴を開け携帯電話を収納しておく。
【実施例】
【００１２】  １人で事故・事件に遭遇した時でも、あわてずにポケットに有る携帯電話の鎖スイッチを引けば、ワンタッチで緊急救助要請機能が働き、場所の確認が速やかにが出来、早急に救助が出来る。又、複数の時でも事故・事件の内容・程度により若年者では相互救助が難しい事もある。その時、少しでも早く関係機関に連絡出来れば救助活動が早急に出きる。成人者に於いても同様であるが、Ｅメールアドレスの登録先・メール内容は使用者の立場等で変更する。
【発明の効果】
【００１３】  本発明は、以上説明したように構成されているので、以下に記載されるような効果を奏する。従って、緊急救助が速やかに行われる。又、写真で犯人が確認され逮捕も速やかに行われる。この事が周知されれば犯罪は激減する。
【００１４】  ワンタッチで、携帯電話の全ての機能が作動します。
【００１５】  ワンタッチで、写真撮影が出来ます。
【００１６】  ワンタッチで、登録されたメールが登録された関係機関等に送信されます。
【００１７】  ワンタッチで、ＧＰＳ機能が作動して、事件・事故現場の確認が出来ます。
【００１８】  ワンタッチで、防犯ブザーが現地で吹鳴します。
2006319939.tif 000003
2006319939.tif 000004
【手続補正書】
【提出日】平成17年7月15日(2005.7.15)
【手続補正１】
【補正対象書類名】明細書
【補正対象項目名】全文
【補正方法】変更
【補正の内容】
【発明の詳細な説明】
【技術分野】
【０００１】  防犯機能を備付したＩＴ関連技術
【背景技術】
【０００２】  既存の携帯電話を使用して緊急救助要請をする為には、携帯電話の蓋を開きスイッチをオンにして先方の電話番号を押し、先方が出てから緊急救助要請が出来る。【０００３】  既存の携帯電話でメールに依る緊急救助要請をする為には携帯電話の蓋を開きスイッチをオンにしてメールを打ち込み、先方のメールアドレスを押しから送信出来る。【０００４】  既存の携帯電話には防犯ブザーが無く、専用の防犯ブザーと併せ持ち歩くのは、大変なる不自由感がある。【０００５】  既存の携帯電話で、写真撮影をする時は、携帯電話の蓋を開いてスイッチをオンにして撮影出来る。【０００６】  既存の携帯電話で、撮影した写真を送信する為には、携帯電話の蓋を開いてスイッチをオンにして先方の電話番号を押して送信する。【０００７】  既存の携帯電話で位置確認をするには、携帯電話の蓋を開きスイッチをオンにしてＧＰＳに依る位置表示が可能となる。【０００８】  既存の防犯ベルは、吹鳴させても近くに人がいないと役に立たない。
【発明が解決しようとする課題】
【０００９】  事件遭遇時に緊急救助要請の為、携帯電話を取り出そうとしても恐怖心で取り出せない事が多い。取り出しても、緊急救助要請に時間が掛かり、その間に携帯電話を犯人に盗られる事もある。１人で事故に遭遇した時、しかも人目に付き難い場所及び暗闇の場合、携帯電話での緊急救助要請が困難である。又、防犯ベルを鳴らす事が出来ても近くに人が居ないと全く役に立たない。
【課題を解決するための手段】
【００１０】  携帯電話の内部にキューピクルスイッチを設け外部の鎖と連結し、これを引けば通信及びその他の動作がワンタッチで出来る機能とする。
【発明を実施するための最良の形態】
【００１１】  携帯電話の鎖を引けば、写真撮影・送信及びメールの送信・ＧＰＳによる位置表示及びブザーの吹鳴する機能を設ける。
【実施例】
【００１２】  携帯電話に緊急救助要請先メールアドレスと緊急救助要請のメールを登録しておき、事件・事故遭遇時に鎖を引くと、写真撮影送信及びメールの送信・ＧＰＳによる位置表示及びブザーが現地で吹鳴する。
【発明の効果】
【００１３】  携帯電話の鎖を引くと、周辺が撮影され登録された緊急救助要請先に送信される。
【００１４】  携帯電話の鎖を引くと、緊急救助要請が登録された緊急救助要請先に送信される。
【００１５】  携帯電話の鎖を引くと、ＧＰＳ機能が作動し登録された緊急救要請先に事件・事故現場の位置が送信される。
【００１６】  携帯電話の鎖を引くと、ブザーが現地で吹鳴する。このブザーは用済後、再度鎖を引くと停止する。
【図面の簡単な説明】
【００１７】
【図１】携帯電話の簡単な平面図である。
【図２】携帯電話の簡単な低面図である。
【図３】携帯電話の簡単な正面図である。正側面図と背面図は、対象である為、正面図のみ表記する。
【図４】携帯電話の簡単な右側面図である。
【図５】携帯電話の簡単な左側面図である。
【符号の説明】
【００１８】  イ  撮影用レンズ  ロ  キューピクルの鎖スイッチ
【手続補正２】
【補正対象書類名】図面
【補正対象項目名】全図
【補正方法】変更
【補正の内容】
【図１】
2006319939.tif 000005
【図２】
2006319939.tif 000006
【図３】
2006319939.tif 000007
【図４】
2006319939.tif 000008
【図５】
2006319939.tif 000009